(57)【要約】      （修正有）【課題】乳幼児に苦痛を与えるおそれがなく、しかも頭の動きによってもずれるおそれのない乳幼児用枕を提供する。【解決手段】枕本体１０と、枕本体１０の裏面に着脱自在に配設される振れ止め部材２０とを備え、枕本体１０は、適宜配列とされた多数の砂嚢を有してなる乳幼児用枕Ｐで、振れ止め部材２０は、砂を充填した円柱状とされた袋体とされる。枕本体１０裏面に着脱自在に係止する係止テープ１３が配設され、振れ止め部材２０に前記テープ１３と係止する係止テープ２２が配設され、それにより枕本体１０と振れ止め部材２０とが着脱自在とされる。【選択図】図１
2015165853.tif 000002
【特許請求の範囲】
【請求項１】
枕本体と、該枕本体の裏面に着脱自在または配置自在に配設される振れ止め部材とを備え、
前記枕本体は、適宜配列とされた多数の砂嚢を有してなる
ことを特徴とする幼児用枕。
【請求項２】
振れ止め部材は、砂を充填した円柱状とされた袋体であることを特徴とする請求項１記載の幼児用枕。
【請求項３】
枕本体裏面に着脱自在に係止するテープが配設され、振れ止め部材に前記テープと係止する係止テープが配設されてなることを特徴とする請求項１記載の幼児用枕。
【発明の詳細な説明】
【技術分野】
【０００１】
本発明は乳幼児用枕に関する。さらに詳しくは、頭が左右に振れることのない乳幼児用枕に関する。
【背景技術】
【０００２】
従来より、平面状の枕が乳幼児用枕として用いられている。かかる平面状の枕では頭が左右にゆれて頭蓋骨がゆがんで形が悪くなるというおそれがある。
【０００３】
かかる従来の乳幼児用枕の問題を解決すべく特許文献１には、図４に示すように、中央の基板部１と、その基板部１の両側に連設していて可塑性材で作られた二個の枠部２と、この枠部２の囲む空間に入れ込まれる棉体３と、基板部１と棉体３を入れた二個の枠部２の表面および裏面とを被覆する一重の棉布４と、基板部１の下側縁の棉布４に縫い付けられ、棉布袋７２に柔軟な棉体７１を扁平に詰めて形成されるクッション部７とを備えた乳幼児用枕が提案されている。
【０００４】
しかしながら、特許文献１の提案にかかる乳幼児用枕にあっては、可塑性材で作られた二個の枠部２を折り曲げて頭を動かないようにしているため、乳幼児に苦痛を与えているという問題がある。また、乳幼児の頭の動きによって枠部２が変形するおそれがあるという問題もある。
【先行技術文献】
【特許文献】
【０００５】
【特許文献１】実用新案登録第３０５５０３７号公報
【発明の開示】
【発明が解決しようとする課題】
【０００６】
本発明はかかる従来技術の課題に鑑みなされたものであって、乳幼児に苦痛を与えるおそれがなく、しかも頭の動きによってもずれるおそれのない乳幼児用枕を提供することを目的としている。
【課題を解決するための手段】
【０００７】
本発明の幼児用枕は、枕本体と、該枕本体の裏面に着脱自在または配置自在に配設される振れ止め部材とを備え、前記枕本体は、適宜配列とされた多数の砂嚢を有してなることを特徴とする。
【０００８】
本発明の幼児用枕においては、振れ止め部材は、砂を充填した円柱状とされた袋体であるのが好ましい。
【０００９】
また、本発明の幼児用枕においては、枕本体裏面に着脱自在に係止するテープが配設され、振れ止め部材に前記テープと係止する係止テープが配設されてなるのが好ましい。
【発明の効果】
【００１０】
本発明の乳幼児用枕は、前記の如く構成されているので、乳幼児に苦痛を与えるおそれがなく、しかも頭の動きによってもずれるおそれもないという優れた効果を奏する。
【図面の簡単な説明】
【００１１】
【図１】本発明の一実施形態に係る乳幼児用枕の概略図である。
【図２】枕本体の二面図であって、同(ａ)は表面図を示し、同(ｂ)は正面図を示す。
【図３】振れ止め部材の二面図であって、同(ａ)は平面図を示し、同(ｂ)は正面図を示す。
【図４】特許文献１の提案に係る幼児用枕の断面図である。
【発明を実施するための形態】
【００１２】
以下、添付図面を参照しながら本発明を実施形態に基づいて説明するが、本発明はかかる実施形態のみに限定されるものではない。
【００１３】
図１に、本発明の一実施形態に係る乳幼児用枕を概略図で示す。
【００１４】
乳幼児用枕Ｐは、図１に示すように、枕本体１０と、枕本体１０の両端部に配設された振れ止め部材２０とを含むものとされる。図中、符号１３，２２は係止テープを示す。また、図１において、係止テープ１３，２２の厚みは、理解の便宜上、誇張されている。
【００１５】
枕本体１０は、図２に示すように、縫製により多数の砂嚢１２が升目状に形成された布製の袋体１１とされ、サイズは長さが４０ｃｍ−５０ｃｍ程度とされ、幅が３０ｃｍ程度とされる。砂嚢１２は、文字通り砂が充填されるものとされる。砂を充填するのは、枕本体１０の保温性および吸湿性を向上させるためである。なお、砂嚢１２の形成は升目状に限定されるものではなく、適宜とでき、例えば菱形配列に形成されてもよい。
【００１６】
また、枕本体１０の裏面の両端部には、振れ止め部材２０を係止するための着脱自在に係止する係止テープ１３が所定長さにて配設されている。なお、係止テープ１３は図示例では、枕本体１０の両側に配設されているが、係止テープ１３の本数および配設位置は適宜とでき、例えば、両側に加え中央にも配設されてもよい。
【００１７】
振れ止め部材２０は、図３に示すように、砂が充填されて円柱状とされた布製の袋体２１とされる。円柱のサイズは、直径が６ｃｍ程度とされ、長さが３０ｃｍ程度とされる。円柱のサイズをこのようにするのは、乳幼児が動いても乳幼児用枕Ｐが動かないようにするためである。
【００１８】
また、振れ止め部材２０の両端部には、枕本体１０の係止テープ１３に対応させて前記テープ１３と係止する着脱自在に係止する係止テープ２２がリング状に配設されている。なお、係止テープ２２は全周にわたって配設される必要はなく、半周など適宜とされてもよい。
【００１９】
次に、かかる構成とされた乳幼児用枕Ｐの使用について説明する。
【００２０】
手順１：枕本体１０の一方、例えば右側に振れ止め部材２０をセットする。
【００２１】
手順２：ベビーベッドの上に振れ止め部材２０がセットされた枕本体１０を置く。
【００２２】
手順３：乳幼児を頭が枕本体１０の中央部に置くようにして寝かせる。
【００２３】
手順４：枕本体１０の片方、例えば左側の端部を持ち上げて寝ている乳幼児の頭部に沿わせる。
【００２４】
手順５：持ち上げられている枕本体１０の端部に振れ止め部材２０をセットする。
【００２５】
これにより、寝ている乳幼児の頭は両側から振れ止め部材２０，２０にガイドされ、頭が左右に揺れることはない。
【００２６】
このように、本実施形態の乳幼児用枕Ｐによれば、寝かされている乳幼児に苦痛を与えるおそれがなく、しかも頭の動きによってもずれるおそれのない。
また、枕本体１０に設けられた砂嚢１２により湿気が吸収されるので、頭が蒸れることがないので、健やかな睡眠を提供できる。
【００２７】
以上、本発明を実施形態に基づいて説明してきたが、本発明かかかる実施形態のみに限定されるものではなく、種々改変が可能である。
例えば、実施形態では係止テープ１３，２２により枕本体１０と振れ止め部材２０とが係止されるようにされているが、係止テープ１３，２２を設けることなく、振れ止め部材２０が配置自在とされてもよい。
【産業上の利用可能性】
【００２８】
本発明は乳幼児産業に適用できる。
【符号の説明】
【００２９】
Ｐ      乳幼児用枕
１０      枕本体
１１      袋体
１２      砂嚢
１３      係止テープ
２０      振れ止め部材
２１      袋体
２２      係止テープ
【図１】
2015165853.tif 000003
【図２】
2015165853.tif 000004
【図３】
2015165853.tif 000005
【図４】
2015165853.tif 000006